(57)【要約】【課題】土台部分の重量を重くして安定して支持できる構造としながら、人手で自由に移動できるようにする。【解決手段】照明塔装置は、発電機構４と二次電池６と照明器５とを備える照明塔２と、この照明塔２を支持する土台１とを備える。土台１は、上方開口の中空容器１０と、内部に配設される架台フレーム２０と、上方開口部を閉塞する蓋体３０とを備える。中空容器１０と蓋体３０は、ガラス繊維で補強したコンクリートで製造している。中空容器１０は、複数に分割された分割ユニット１１を連結して中空状としている。架台フレーム２０は、垂直柱２１と複数の連結アーム２２と連結プレート２３とを備え、複数の連結アーム２２を中空容器１０に固定している。土台１は、架台フレーム２０を固定している中空容器１０の内部に重り１８を充填すると共に、蓋体３０の中心孔３０Ａから表出する連結プレート２３に照明塔２の支柱３の基部３Ａを固定している。【選択図】図５
0003103301.tif 000002
【実用新案登録請求の範囲】
【請求項１】
以下の全ての構成を有することを特徴とする照明塔装置。
（ａ）  照明塔装置は、支柱(3)の上部に発電機構(4)と照明器(5)とを備える照明塔(2)と、この照明塔(2)を支持する土台(1)とを備える。
（ｂ）  照明塔(2)は、垂直姿勢の支柱(3)と、この支柱(3)の上部に連結されて自然エネルギーを利用して発電する発電機構(4)と、この発電機構(4)で発電された電気を蓄える二次電池(6)と、支柱(3)の上部に配置されて二次電池(6)の電力で点灯される照明器(5)とを備える。
（ｃ）  土台(1)は、全体の平面形状を円形または多角形状としている。
（ｄ）  土台(1)は、上方を開口している中空容器(10)と、この中空容器(10)の内部に配設されると共に、照明塔(2)の支柱(3)を固定して支持する架台フレーム(20)と、中空容器(10)の上方開口部を閉塞する蓋体(30)とを備える。
（ｅ）  中空容器(10)と蓋体(30)は、ガラス繊維で補強したコンクリートで製造している。
（ｆ）  中空容器(10)は、複数の分割ユニット(11)に分割されており、これらの分割ユニット(11)を内側で連結して、平面形状を円形ないし多角形とする中空状としている。
（ｇ）  架台フレーム(20)は、中空容器(10)の中心部に垂直姿勢で配置される垂直柱(21)と、この垂直柱(21)に連結されて水平方向に突出する複数の連結アーム(22)と、垂直柱(21)の上面に水平な姿勢で固定されて照明塔(2)の支柱(3)の基部(3A)を固定する連結プレート(23)とを備える。
（ｈ）  複数の連結アーム(22)は、連結部材(29)を介して中空容器(10)に固定されている。
（ｉ）  土台(1)は、架台フレーム(20)を固定している中空容器(10)の内部に重り(18)を充填する状態で、中空容器(10)の上方開口部を蓋体(30)で閉塞すると共に、この蓋体(30)の中心孔(30A)から表出する連結プレート(23)に照明塔(2)の支柱(3)の基部(3A)を固定している。
【請求項２】
発電機構(4)が、太陽電池(4A)、風力発電機(4B)のいずれか一方または両方である請求項１に記載される照明塔装置。
【請求項３】
照明塔(2)が、支柱(3)の上部に、防犯カメラ、赤色回転灯のいずれか一方あるいは両方を備える請求項１に記載される照明塔装置。
【請求項４】
二次電池(6)を土台(1)の内部に配設している請求項１に記載される照明塔装置。
【請求項５】
二次電池(6)が鉛蓄電池である請求項４に記載される照明塔装置。
【請求項６】
土台(1)の内部に収納される重り(18)が土嚢である請求項１に記載される照明塔装置。
【請求項７】
土台(1)の平面形状が正八角形で、中空容器(10)を八等分して分割ユニット(11)としている請求項１に記載される照明塔装置。
【請求項８】
支柱(3)の上部に発電機構(4)と照明器(5)とを備える照明塔(2)を支持する照明塔用の土台であって、以下の全ての構成を有することを特徴とする照明塔用の土台。
（ａ）  土台は、全体の平面形状を円形または多角形状としている。
（ｂ）  土台は、上方を開口している中空容器(10)と、この中空容器(10)の内部に配設されると共に、照明塔(2)の支柱(3)を固定して支持する架台フレーム(20)と、中空容器(10)の上方開口部を閉塞する蓋体(30)とを備える。
（ｃ）  中空容器(10)と蓋体(30)は、ガラス繊維で補強したコンクリートで製造している。
（ｄ）  中空容器(10)は、複数の分割ユニット(11)に分割されており、これらの分割ユニット(11)を内側で連結して、平面形状を円形ないし多角形とする中空状としている。
（ｅ）  架台フレーム(20)は、中空容器(10)の中心部に垂直姿勢で配置される垂直柱(21)と、この垂直柱(21)に連結されて水平方向に突出する複数の連結アーム(22)と、垂直柱(21)の上面に水平な姿勢で固定されて照明塔(2)の支柱(3)の基部(3A)を固定する連結プレート(23)とを備える。
（ｆ）  複数の連結アーム(22)は、連結部材(29)を介して中空容器(10)に固定されている。
（ｇ）  土台は、架台フレーム(20)を固定している中空容器(10)の内部に重り(18)を充填する状態で、中空容器(10)の上方開口部を蓋体(30)で閉塞すると共に、この蓋体(30)の中心孔(30A)から、照明塔(2)の支柱(3)の基部(3A)を固定する連結プレート(23)を表出させている。
【請求項９】
平面形状が正八角形で、中空容器(10)を八等分して分割ユニット(11)としている請求項８に記載される照明塔用の土台。
【請求項１０】
中空容器(10)の外周面を、レンガを積層した模様に成形して着色している請求項８に記載される照明塔用の土台。
【請求項１１】
内部に充填される重り(18)が土嚢である請求項８に記載される照明塔用の土台。
【請求項１２】
分割ユニット(11)が、底板(12)と外周壁(13)の両側縁に、内側に突出する連結リブ(14)を一体成形しており、この連結リブ(14)を介して複数の分割ユニット(11)を互いに連結している請求項８に記載される照明塔用の土台。
【考案の詳細な説明】
【技術分野】
【０００１】
本考案は、自然エネルギーを利用して発電された電気エネルギーで照明器を点灯させる照明塔装置と、この照明塔装置に使用される照明塔用の土台に関する。
【背景技術】
【０００２】
太陽光発電を利用した照明塔は、すでに開発されて利用されている。この照明塔は、太陽光を利用して発電する太陽電池と、この太陽電池が発電した電気を蓄える二次電池と、この二次電池の電力で点灯される照明器と、太陽電池と照明器とを上部に配設して、所定の高さに配置している支柱とを備える（特許文献１及び２参照）。この照明塔は、昼間に太陽電池が太陽エネルギーから電気エネルギーを取り出して二次電池を充電し、夜間には二次電池に蓄えた電力で照明器を点灯させる。
【０００３】
この構造の照明塔は、太陽エネルギーを利用して照明を点灯するので、自然エネルギーを有効利用できると共に、発電時には環境汚染物質を発生しない特長がある。さらに、この照明塔は、停電時にも点灯できるので、災害時などの非常用照明としても活用できる。さらにまた、電源を引き込む配線工事が不要なため、施工費用が安価であり、また設置場所に制約を受けない特長がある。したがって、この照明塔は、地域の避難場所となる公園や学校等に設置されて、便利に使用できる。
【０００４】
ところで、この照明塔は電源の配線が不要であるので、この特長を活かすために、照明塔を移動できる構造とするとさらに便利に使用できる。それは、必要に応じて、照明塔の設置場所を変更できるからである。しかしながら、この構造の照明塔は、大きな太陽電池を支柱の上部に配置するので、支柱が倒れないようにするために、支柱の基部をしっかりと保持する必要がある。とくに、台風等の災害を考慮して、風速６０ｍ／秒にも耐えうる強度で固定する必要がある。太陽電池は、十分な電力を得るために、全体の面積を大きくする必要があると共に、効率よく太陽光を受光するために、また、いたずら防止の面からも、地上高くに設置することが望ましい。このため、この照明塔は、倒れないように支柱の基部を地面に埋設し、あるいは、地面に埋設した基礎に固定して設置している。このように、支柱を地面に固定する構造の照明塔は、設置場所を自由に変更できない欠点がある。
【０００５】
この問題点を解決する照明塔として、支柱の基部に基礎台を備える照明塔が開発されている（特許文献３参照）。この照明塔は、図１に示すように、支柱４１の基部４２に、重量のあるコンクリート魂で形成してなる基礎台４３を設けており、この基礎台４３により支柱４１が強風等で倒れるのを防止している。さらに、この照明塔は、基礎台４３のコンクリート魂中に、制御ボックスの収納室を形成しており、この収納室に制御ボックスを格納することにより、制御ボックスに対する盗難やいたずらを防止するようにしている。
【０００６】
【特許文献１】特開２００２−２５３１４号公報
【特許文献２】特開２００３−１５１３２０号公報
【特許文献３】特開２０００−１８８００７号公報
【考案の開示】
【考案が解決しようとする課題】
【０００７】
この構造の照明塔は、支柱の基部に基礎台を設けているので、支柱の基部を地面に埋設したり、あるいは、地面に埋設した基礎に固定することなく、基礎台を自由に移動させて設置できる特長がある。しかしながら、重量のあるコンクリート魂で形成している基礎台は１トン以上の重量があるため、持ち上げて運搬するのに大型の重機や運搬車両を必要とし、簡単に移動できない欠点がある。基礎台の重量を軽くすると移動しやすくなるが、軽い基礎台では、照明塔の支柱を十分な強度で支持することができなくなる。すなわち、基礎台を軽くして移動しやすくすることと、照明塔の支柱を安定して支持することとは互いに相反することであって、両方を満足することはできない。
【０００８】
本考案の第１の目的は、この欠点を解消すること、すなわち、照明塔の支柱を支持する土台部分の重量を軽くすることなく自由に移動でき、しかも、強風の際にも倒れることなく安定して支柱を支持できる照明塔装置とこの照明塔装置に使用される照明塔用の土台を提供することにある。
とくに、土台部分の重量を重くするにも関わらず、専用の大型重機や大型運搬車量を使用することなく、土台部分を人手で移動できる照明塔装置とこの照明塔装置に使用される照明塔用の土台を提供することにある。
【０００９】
さらに、特許文献３の公報に記載される照明塔は、支柱の基部に設けた基礎台をコンクリート魂で形成しているので、外観が悪くなる欠点もある。とくに、この種の照明塔は、公園や学校等に設置されることが多いので、コンクリートの地肌が表出する冷たい質感とすると、周囲の景観を損ねてしまうことがある。本考案の第２の目的は、この欠点を解消すること、すなわち、支柱の土台部分の表面模様や色彩を高い自由度で種々に変更して、設置場所に適する理想的な外観とすることができる照明塔装置とこの照明塔装置に使用される照明塔用の土台を提供することにある。
【課題を解決するための手段】
【００１０】
本考案の照明塔装置は、以下の全ての構成を有することを特徴とする。
（ａ）  照明塔装置は、支柱３の上部に発電機構４と照明器５とを備える照明塔２と、この照明塔２を支持する土台１とを備える。
（ｂ）  照明塔２は、垂直姿勢の支柱３と、この支柱３の上部に連結されて自然エネルギーを利用して発電する発電機構４と、この発電機構４で発電された電気を蓄える二次電池６と、支柱３の上部に配置されて二次電池６の電力で点灯される照明器５とを備える。
（ｃ）  土台１は、全体の平面形状を円形または多角形状としている。
（ｄ）  土台１は、上方を開口している中空容器１０と、この中空容器１０の内部に配設されると共に、照明塔２の支柱３を固定して支持する架台フレーム２０と、中空容器１０の上方開口部を閉塞する蓋体３０とを備える。
（ｅ）  中空容器１０と蓋体３０は、ガラス繊維で補強したコンクリートで製造している。
（ｆ）  中空容器１０は、複数の分割ユニット１１に分割されており、これらの分割ユニット１１を内側で連結して、平面形状を円形ないし多角形とする中空状としている。
（ｇ）  架台フレーム２０は、中空容器１０の中心部に垂直姿勢で配置される垂直柱２１と、この垂直柱２１に連結されて水平方向に突出する複数の連結アーム２２と、垂直柱２１の上面に水平な姿勢で固定されて照明塔２の支柱３の基部３Ａを固定する連結プレート２３とを備える。
（ｈ）  複数の連結アーム２２は、連結部材２９を介して中空容器１０に固定されている。
（ｉ）  土台１は、架台フレーム２０を固定している中空容器１０の内部に重り１８を充填する状態で、中空容器１０の上方開口部を蓋体３０で閉塞すると共に、この蓋体３０の中心孔３０Ａから表出する連結プレート２３に照明塔２の支柱３の基部３Ａを固定している。
【００１１】
本考案の照明塔装置は、発電機構４を、太陽電池４Ａと風力発電機４Ｂのいずれか一方または両方とすることができる。さらに、本考案の照明塔装置は、照明塔２が、支柱３の上部に、防犯カメラ、赤色回転灯のいずれか一方あるいは両方を備えることができる。
【００１２】
本考案の照明塔装置は、二次電池６を土台１の内部に配設することができる。この二次電池６は、鉛蓄電池が適している。さらに、本考案の照明塔装置は、土台１の内部に収納される重り１８を土嚢とすることができる。さらにまた、本考案の照明塔装置は、土台１の平面形状を正八角形として、中空容器１０を八等分して分割ユニット１１とすることができる。
【００１３】
本考案の照明塔用の土台は、支柱３の上部に発電機構４と照明器５とを備える照明塔２を支持する照明塔用の土台であって、以下の全ての構成を有することを特徴とする。
（ａ）  土台は、全体の平面形状を円形または多角形状としている。
（ｂ）  土台は、上方を開口している中空容器１０と、この中空容器１０の内部に配設されると共に、照明塔２の支柱３を固定して支持する架台フレーム２０と、中空容器１０の上方開口部を閉塞する蓋体３０とを備える。
（ｃ）  中空容器１０と蓋体３０は、ガラス繊維で補強したコンクリートで製造している。
（ｄ）  中空容器１０は、複数の分割ユニット１１に分割されており、これらの分割ユニット１１を内側で連結して、平面形状を円形ないし多角形とする中空状としている。
（ｅ）  架台フレーム２０は、中空容器１０の中心部に垂直姿勢で配置される垂直柱２１と、この垂直柱２１に連結されて水平方向に突出する複数の連結アーム２２と、垂直柱２１の上面に水平な姿勢で固定されて照明塔２の支柱３の基部３Ａを固定する連結プレート２３とを備える。
（ｆ）  複数の連結アーム２２は、連結部材２９を介して中空容器１０に固定されている。
（ｇ）  土台は、架台フレーム２０を固定している中空容器１０の内部に重り１８を充填する状態で、中空容器１０の上方開口部を蓋体３０で閉塞すると共に、この蓋体３０の中心孔３０Ａから、照明塔２の支柱３の基部３Ａを固定する連結プレート２３を表出させている。
【００１４】
本考案の照明塔用の土台は、平面形状を正八角形として、中空容器１０を八等分して分割ユニット１１とすることができる。さらに、本考案の土台は、中空容器１０の外周面を、レンガを積層した模様に成形して着色することができる。さらに、本考案の照明塔用の土台は、内部に充填される重り１８を土嚢とすることができる。
【００１５】
さらに、本考案の照明塔用の土台は、分割ユニット１１の底板１２と外周壁１３の両側縁に、内側に突出する連結リブ１４を一体成形して、この連結リブ１４を介して複数の分割ユニット１１を互いに連結することができる。
【考案の効果】
【００１６】
本考案の照明塔装置と照明塔用の土台は、照明塔の支柱を支持する土台の重量を重くするにも関わらず自由に移動できると共に、強風の際にも倒れることなく安定して支柱を支持できる特長がある。それは本考案が、照明塔を支持する土台を、複数の分割ユニットで構成される中空容器と、この中空容器の内部に配設されて、照明塔の支柱の基部が固定される架台フレームと、中空容器の上方開口部を閉塞する蓋体とで構成しており、架台フレームを中空容器に固定すると共に、中空容器の内部に重りを充填して、架台フレームに固定された支柱が倒れるのを防止しているからである。この構造の土台は、中空容器の内部に重りを充填して使用するので、全体の重量を重くして、照明塔の支柱が強風等で倒れるのを有効に防止できる。また、この構造の土台は、移動するときには、中空容器と架台フレームと蓋体とに分解できると共に、中空容器を複数の分割ユニットに分解できるので、個々のパーツを小さく、極めて軽量にして、簡単かつ容易に移動できる。とくに、この構造の土台は、土台として移用するときには、全体の重量を重くして照明塔を安定して支持できるにも関わらず、移動させるときには専用の大型重機や大型運搬車量を使用することなく、分解して人手で移動できる特長がある。
【００１７】
さらに、本考案は、土台の中空容器と蓋体とを、ガラス繊維で補強したコンクリートで製造しているので、中空容器や蓋体の厚さを薄くして軽量化しながら優れた強度を実現できる。さらに、ガラス繊維で補強したコンクリートで製造される中空容器や蓋体は、表面模様や色彩を高い自由度で種々に変更して、設置場所に適する理想的な外観として意匠性を高めることができる特長もある。とくに、本考案の請求項１０の土台は、中空容器の外周面を、レンガを積層した模様に成形して着色しているので、コンクリート魂では表現できない美しい外観と優しい質感とを実現できる。
【考案を実施するための最良の形態】
【００１８】
以下、本考案の実施例を図面に基づいて説明する。ただし、以下に示す実施例は、本考案の技術思想を具体化するための照明塔装置と照明塔用の土台を例示するものであって、本考案は照明塔装置と土台を以下のものに特定しない。
【００１９】
さらに、この明細書は、実用新案登録請求の範囲を理解し易いように、実施例に示される部材に対応する番号を、「実用新案登録請求の範囲」、および「課題を解決するための手段の欄」に示される部材に付記している。ただ、実用新案登録請求の範囲に示される部材を、実施例の部材に特定するものでは決してない。また、各図面が示す部材の大きさや位置関係などは、説明を明確にするため誇張していることがある。さらに、本考案を構成する各要素は、複数の要素を同一の部材で構成して一つの部材で複数の要素を兼用する態様としてもよい。
【００２０】
本考案の一実施例に係る照明塔装置を図２ないし図８に示す。これらの図に示す照明塔装置は、自然エネルギーを利用して二次電池６に蓄えた電力で照明器５を点灯する照明塔２と、この照明塔２の支柱３の基部３Ａが固定されて、支柱３を倒れないように支持する土台１とを備える。
【００２１】
照明塔２は、垂直の姿勢で配設される支柱３と、この支柱３の上部に配置されて自然エネルギーを利用して発電する発電機構４と、この発電機構４で発電された電気を蓄電する二次電池６と、支柱３の上部に配置されて、二次電池６の電力で点灯される照明器５とを備える。
【００２２】
支柱３は、下端部である基部３Ａを土台１に固定して、垂直の姿勢で配設している。さらに、支柱３は、上部に発電機構４と照明器５とを配置している。図２に示す支柱３は、上端に、発電機構４を配置すると共に、上端部であって発電機構４の下方に照明器５を配置している。支柱３は、金属製のポールで、中空の筒状としている。筒状の支柱３は、内部に配線して、電線を風雨や紫外線から保護できる特長がある。図に示す支柱３は、土台１に連結する基部３Ａを裾広がりの形状としている。
【００２３】
発電機構４は、自然エネルギーを利用して電気エネルギーを取り出す機構である。発電機構４には、たとえば、太陽光を利用して発電する太陽電池４Ａ、風力を利用して発電する風力発電機等が使用できる。図に示す照明塔２は、太陽電池４Ａを備えている。発電機構は、図示しないが、風力発電機とすることもできる。
【００２４】
太陽電池４Ａは、受光面積を広くするためにパネル状に形成されている。パネル状の太陽電池４Ａは、太陽光を効率よく受光するために、所定の角度に傾斜する姿勢で支柱３に連結すると共に、所定の方位、たとえば、南向きになるように支柱３に連結している。太陽電池４Ａは、好ましくは、パネルの傾斜角度と設置する方位とを自由に変更できる連結構造で、支柱３に連結して固定される。太陽電池４Ａは、太陽光が照射される昼間に、太陽光を受光して発電する。太陽電池４Ａは、晴れた日の昼間における発電電力で、夜間に照明器５を十分に明るく点灯できる消費電力とほぼ等しく、あるいはやや大きくなる容量に設計される。
【００２５】
風力発電機は、昼夜に関係なく、また日照量に左右されることなく、風力を利用して有効に発電して二次電池を充電できる特長がある。発電機構として、風力発電機を単独で使用することもできるが、図８の鎖線で示すように、太陽電池４Ａと併用することもできる。太陽電池４Ａと風力発電機４Ｂを備える照明塔２は、太陽電池４Ａで主に発電して二次電池６を充電しながら、風力発電機４Ｂで補助的に発電して、二次電池６を充電することができる。
【００２６】
二次電池６は、発電機構４で発電された電気エネルギーを蓄える。図の二次電池６は、繰り返し充放電できる複数の素電池６Ａを備える。二次電池６には、鉛蓄電池、アルカリ蓄電池、リチウム二次電池等の蓄電できる全ての充電できる電池が使用できる。とくに、ニッケル−カドミウム電池、ニッケル−水素電池、リチウムイオン二次電池は、エネルギー密度が大きいので、全体の体積を小さくして容量を大きくできる。体積を小さくできる二次電池６は、図２の鎖線で示すように、支柱３の基部３Ａの内部にできる収納室に配設できる。鉛蓄電池は、重いので土台１に収納して、支柱３を安定に倒れないようにできる。とくに、本考案では、後述するが、土台１の内部に大きな収納スペース１９を確保できるので、鉛蓄電池のように大きくて重い二次電池であっても、図４の鎖線で示すように、この収納スペース１９に配設することができる。したがって、重い鉛蓄電池を支柱３が倒れないようにする重りに併用して、土台１を安定にできる。
【００２７】
二次電池６は、複数の素電池６Ａを直列に接続すると共に、直列接続された素電池６Ａを並列に接続して、所定の電力と容量に調整される。二次電池６の容量は、昼間の日照量が足りない日々が続いても、数日間は照明器５を点灯できる容量として便利に使用できる。ただ、二次電池６の容量を大きくすると、コストが高くなるので、発電機構４の発電量と照明器５の消費電力を考慮して最適な容量とする。
【００２８】
発電機構４で発生した電力は、図８に示すように、保護回路７を介して二次電池６に供給される。保護回路７は、二次電池６が過充電されるのを防止する。この保護回路７は、たとえば、二次電池６の許容電気容量を超える電気量が供給されると、二次電池６に蓄電することなく放電して過充電を阻止する。さらに、二次電池６は、制御回路８を介して照明器５に接続している。制御回路８は、光センサー９で周囲の明るさを検出し、辺りが暗くなったと判定すると、二次電池６から照明器５に電力を供給する。制御回路８は、光センサー９からの信号を検出して、辺りが暗い時に、照明器５に電力を供給して照明器５を点灯させる。したがって、昼間であっても、悪天候等で辺りが暗いときには、照明器５を点灯する。ただ、制御回路８は、周囲の明るさを検出することなく、予め設定された時間帯において、二次電池６から照明器５に電力を供給して、照明器５を点灯することもできる。
【００２９】
照明器５は、二次電池６から供給される電力で点灯される。照明器５は、周囲に光を照射する光源を備える。この光源には、たとえば、ＬＥＤ５Ａが使用できる。ＬＥＤ５Ａである光源は、消費電力を少なくしながら、長期間にわたって点灯できる特長がある。さらに、ＬＥＤ５Ａである光源は、防虫効果のあるものを使用して、蛾等の虫が飛来するのを有効に防止することができる。光源をＬＥＤ５Ａとする照明器５は、ＬＥＤ５Ａに流れる電流を制御回路８で調整しながら通電する。ただ、照明器には、ＬＥＤ以外の光源、たとえば、蛍光灯等の他の光源を使用することもできる。
【００３０】
以上の照明塔２は、発電機構４が自然エネルギーを利用して発電し、この電気エネルギーを二次電池６の素電池６Ａに蓄える。照明塔２は、辺りが暗くなると、あるいは所定の時間になると、制御回路８が二次電池６から照明器５に電力を供給して照明器５を点灯する。
【００３１】
さらに、照明塔は、図示しないが、照明器に加えて、種々の機構を備えることもできる。照明塔は、設置場所や設置目的に応じて、防犯カメラ、赤色回転灯、スピーカー、表示灯等の機構を備えることができる。防犯カメラや赤色回転灯、スピーカーを備える照明塔は、たとえば、無線機を配設して無線でデータを送受信することにより配線を省略することができる。この照明塔は、災害時や犯罪発生時に各機構を作動させて活用できる。さらに、照明塔は、非常用ボタンを支柱に設けて、この非常用ボタンが操作されると赤色回転灯を点灯し、あるいは、スピーカーから警告音やサイレン音を出すこともできる。
【００３２】
土台１は、全体の平面形状を円形または多角形状とする。この土台１は、上方を開口している中空容器１０と、この中空容器１０の中空部に配置されると共に、照明塔２の支柱３を固定して垂直姿勢に保持する架台フレーム２０と、この中空容器１０の上方開口部を閉塞する蓋体３０とを備える。土台１の外径は、上面に固定される支柱３が倒れないように支持できる大きさに設計される。土台１の外径は、支柱３の高さや、支柱３の上部に配設される発電機構４や照明器５の大きさや重量によっても左右されるが、１０００〜２０００ｍｍ、好ましくは、１２００〜１８００ｍｍに設計される。さらに、土台の高さは、３００〜８００ｍｍ、好ましくは４００〜６００ｍｍに設計される。ただし、土台の外径とは、土台の外径の最も長い部分の長さ、すなわち、円形の土台においては直径を、多角形の土台においては対角線の長さを意味するものとする。
【００３３】
土台１は、中空容器１０と蓋体３０とをＧＲＣで製造している。ＧＲＣは、ガラス繊維をコンクリートに埋設して補強したガラス繊維補強コンクリートである。ＧＲＣで製造される中空容器１０と蓋体３０は、薄く成形して軽量化できると共に、優れた強度を実現できる特長がある。ＧＲＣのガラス繊維の添加量は、コンクリート全体に対して３〜１０重量％とすることができる。中空容器１０と蓋体３０の厚さは、ガラス繊維の添加量によって変更できるが、たとえば、１０〜３０ｍｍ、好ましくは、約２０ｍｍとする。さらに、ＧＲＣで製造される中空容器１０と蓋体３０は、その表面模様を高い自由度で設計できると共に、表面を種々に着色して美しい外観にできる。図３と図５に示す土台１は、中空容器１０の外周面をレンガを積み重ねた形状と色彩としている。この土台１は、コンクリート魂では表現できない美しい外観と優しい質感とを実現できる。このように、ＧＲＣで製造される中空容器１０と蓋体３０は、表面模様や色彩を種々に変更して、設置場所に適する理想的な外観として意匠性を高めることができる特長がある。
【００３４】
中空容器１０は、複数の分割ユニット１１に分割できる構造としている。図の中空容器１０は、底板１２と外周壁１３とを等しい中心角で等分して、複数の分割ユニット１１に分割している。図３ないし図７に示す中空容器１０は、平面形状を正八角形としている、したがって、個々の分割ユニット１１は、正八角形の中空容器１０を４本の対角線で八等分した形状としている。ただ、本考案は、中空容器、すなわち土台の平面形状を正八角形に特定しない。土台の平面形状は、円形や正八角形以外の正多角形とすることもできる。円形や正多角形である中空容器は、底板１２と外周面とを等しい中心角で等分して同じ形状に分割できるので、同じ形状の分割ユニットとして安価に多量生産できる特長がある。さらに、土台の平面形状は、必ずしも円形や正多角形とする必要はなく、楕円形や長円形とすることも、正多角形でない多角形とすることもできる。ただ、土台の安定性や外観、製造コストを考慮して、好ましくは、対称な形状として分割ユニットの形状パターンを少なくする。
【００３５】
さらに、図の中空容器１０は、平面形状を正八角形としているので、８分割して分割ユニット１１としているが、中空容器は、その平面形状に応じて、７個以下に分割することも、９個以上に分割とすることもできる。分割する数を少なくすると、個々の分割ユニットが大きくなって重くなるが、組み立てにかかる手間を少なくできる。反対に、分割する数を多くすると、個々の分割ユニットを小さくして軽くできるので楽に持ち運びできるが、組み立てにかかる手間がかかってしまう。したがって、中空容器は、これらのことを考慮して好ましくは、４〜１０分割することが好ましい。
【００３６】
分割ユニット１１は、図９に示すように、底板１２の外周縁と外周壁１３の下端縁とを垂直に連結した形状に一体成形されており、断面形状を略Ｌ字状としている。さらに、分割ユニット１１は、底板１２の両側縁と外周壁１３の両側縁の内側に突出して連結リブ１４を一体成形して設けている。分割ユニット１１の両側に設けられた連結リブ１４は、互いに隣接する分割ユニット１１を連結する連結片として使用されると共に、底板１２と外周壁１３とを補強する補強リブに併用される。
【００３７】
複数の分割ユニット１１は、図７に示すように、互いに隣接する分割ユニット１１を、内側で連結して、平面形状を円形ないし多角形とする中空状に成形される。複数の分割ユニット１１を連結するために、分割ユニット１１は、隣接する分割ユニット１１との境界部分に設けた連結リブ１４を、連結部材２９を介して連結している。連結リブ１４は、対向する位置に連結孔１４Ａを開口しており、この連結孔１４Ａに連結部材２９であるボルト２９Ａを挿通して互いに連結するようにしている。隣接する分割ユニット１１は、連結孔１４Ａに挿通されたボルト２９Ａにナット２９Ｂをねじ込んで、互いの連結リブ１４を連結して互いに連結される。
【００３８】
架台フレーム２０は、図４と図６に示すように、中空容器１０の中心部に垂直姿勢で配置される垂直柱２１と、この垂直柱２１に連結されると共に、水平方向に突出する複数の連結アーム２２と、垂直柱２１の上面に水平な姿勢で固定されてなる連結プレート２３とを備える。
【００３９】
垂直柱２１は、円筒状の金属筒である。金属筒である垂直柱２１は、連結アーム２２と連結プレート２３とを溶接して固定している。ただ、垂直柱２１は、必ずしも連結アーム２２を溶接する必要はなく、垂直柱に溶接された連結片に、ボルト等の連結部材を介して連結アームを脱着できるように連結することもできる。さらに、連結アームを筒状として、垂直柱に溶接された連結筒に連結アームを挿通して脱着できるように連結することもできる。垂直柱に連結アームを脱着自在に連結する架台フレームは、コンパクトに分解して移動できる特長がある。
【００４０】
連結アーム２２は、中空容器１０に固定されて、垂直柱２１を倒れないように支持する。図に示す連結アーム２２は、垂直柱２１の下部に連結している下部連結アーム２２Ｂと、垂直柱２１の上部に連結している上部連結アーム２２Ａとを備える。図に示す架台フレーム２０は、各４本の下部連結アーム２２Ｂと上部連結アーム２２Ａとを備え、これらを４方向に突出させている。４本の下部連結アーム２２Ｂと上部連結アーム２２Ａは、等しい中心角で分割された方向に突出させている。さらに、図に示す架台フレーム２０は、上下に位置する下部連結アーム２２Ｂと上部連結アーム２２Ａとを同方向に突出させており、互いに対向する下部連結アーム２２Ｂと上部連結アーム２２Ａの先端部を補強ロッド２４で上下に連結して補強している。
【００４１】
ただ、架台フレームは、下部連結アームと上部連結アームの本数を４本に特定しない。下部連結アームと上部連結アームは、３本として３方向に突出させることも、５本以上として５方向以上に突出させることもできる。下部連結アームと上部連結アームの本数は、好ましくは、土台の平面形状によって決定する。たとえば、平面形状を八角形とする土台１は、４本または８本の下部連結アーム２２Ｂと上部連結アーム２２Ａを備え、平面形状を六角形とする土台は、３本または６本の下部連結アームと上部連結アームを備え、平面形状を五角形とする土台は、５本の下部連結アームと上部連結アームを備えることができる。さらに、下部連結アームと上部連結アームの本数は、異なる本数とすることもできる。
【００４２】
下部連結アーム２２Ｂは、中空容器１０の底板１２の内面に沿う形状に折曲している。図４に示す下部連結アーム２２ＢはＣ型鋼で、先端側の下面を分割ユニット１１の底板１２の上面に接触させると共に、後端側の下面を底板１２の中心部に設けた水平リブ１５の上面に接触させている。下部連結アーム２２Ｂは、後端側の下面と水平リブ１５とを貫通する連結部材２９を介して中空容器１０に連結される。中空容器１０の分割ユニット１１は、図４と図９に示すように、中心側において連結リブ１４に連続する水平リブ１５を設けており、この水平リブ１５に連結部材２９であるボルト２９Ａを挿通する固定孔１５Ａを開口している。中空容器１０の水平リブ１５と下部連結アーム２２Ｂの下面とを貫通するボルト２９Ａにナット２９Ｂをねじ込んで、下部連結アーム２２Ｂと中空容器１０が固定される。
【００４３】
上部連結アーム２２Ａは、先端縁を中空容器１０の外周壁１３の内面まで延長しており、連結部材２９を介して外周壁１３に固定している。図４に示す上部連結アーム２２ＡはＬ型鋼で、上面を平面状とすると共に、先端に中空容器１０の外周壁１３と平行な連結片２５を固定している。上部連結アーム２２Ａは、連結片２５に連結部材２９を挿通して中空容器１０に連結している。中空容器１０は、外周壁１３の上端部の中央に、連結部材２９であるボルト２９Ａを挿通する挿通孔１３Ａを開口している。この挿通孔１３Ａは、図４の一部拡大断面図に示すように外周壁１３の外周面に設けた凹部１３ａに開口して設けている。このように、外周壁１３に設けた凹部１３ａに連結部材２９を配設する構造は、外周壁１３の表面に連結部材２９が突出するのを防止できる。さらに、中空容器１０は、外周壁１３の内面であって、挿通孔１３Ａを開口する部分に、内側に突出する凸部１６を設けてこの部分を補強している。中空容器１０の外周壁１３と上部連結アーム２２Ａの連結片２５とを貫通するボルト２９Ａにナット２９Ｂをねじ込んで、上部連結アーム２２Ａと中空容器１０が固定される。
【００４４】
連結プレート２３は、垂直柱２１の上端に水平の姿勢で固定しており、支柱３の基部３Ａを連結して固定する。図５と図６に示す連結プレート２３は、円形をしており、支持プレート２６を介して垂直柱２１に固定している。このように支持プレート２６を介して連結プレート２３を垂直柱２１に固定する構造は、これらの連結強度を高めて支柱３を確実に支持できる特長がある。連結プレート２３は、複数本の連結ボルト２７を上面から突出させて固定している。連結プレート２３は、これらの連結ボルト２７を介して支柱３の基部３Ａに連結される。複数本の連結ボルト２７は、図４に示すように、支柱３の基部３Ａの底板３Ｂに開口された貫通孔に挿通された状態でナット２８がねじ込まれて、連結プレート２３と支柱３の基部３Ａとを連結する。
【００４５】
蓋体３０は、中空容器１０の上方開口を閉塞できるように、中空容器１０の平面形状と等しい外形を有する。さらに、蓋体３０は、中空容器１０に固定された架台フレーム２０の連結プレート２３を表出させる状態で中空容器１０の上方開口部を閉塞するために、架台フレーム２０の連結プレート２３を表出させる中心孔３０Ａを開口している。この蓋体３０は、上面を平面状とすると共に、周縁部を中空容器１０の外周面に沿って下方に折曲して折曲部３１を設けている。蓋体３０は、この折曲部３１を中空容器１０の外周壁１３の外面にラップさせる状態で中空容器１０に連結される。蓋体３０は、図４に示すように、上部連結アーム２２Ａの上面に、蓋体３０の下面が接触する状態で配設されており、上部連結アーム２２Ａで支持されている。図５に示す蓋体３０は、１本の対角線で２分割しており、これらを連結して中空容器１０の上方開口を閉塞できる形状としている。ただ、蓋体は、１枚のプレート状とすることもできる。
【００４６】
蓋体３０は、固定ボルト３２を介して中空容器１０に連結される。蓋体３０と中空容器１０との連結構造を図１０に示す。蓋体３０は、折曲部３１の中央部に凹部２１ａを設けると共に、この凹部３１ａに挿通孔３１Ａを開口して、固定ボルト３２を挿通できるようにしている。中空容器１０は、蓋体３０の挿通孔３１Ａに対向する位置であって、外周壁１３の上部にアンカー３３を埋設している。蓋体３０の折曲部３１の挿通孔３１Ａに挿通された固定ボルト３２を外周壁１３のアンカー３３にねじ込んで、蓋体３０が中空容器１０に固定される。
【００４７】
以上の構造の土台１は、図４と図６に示すように、内部に中空の収納スペース１９が形成される。土台１は、この収納スペース１９に重り１８が充填されて全体の重量を重くし、照明塔２を安定して支持する。収納スペース１９に収納される重り１８には、例えば、土嚢が使用できる。土嚢には、袋の内部に土や砂を充填したものが使用できる。土台１は、照明塔２を倒れないように支持できる重量となるように、たとえば、土台全体の重量が１〜２トンとなるように、土嚢の数を調整して充填する。
【００４８】
さらに、土台１の収納スペース１９には、図４の鎖線で示すように、二次電池６を配設することもできる。とくに、二次電池を鉛蓄電池とする二次電池６は、大きくて重量も重いので、土台１の内部に配設するには最適である。しかも、鉛蓄電池は、他の二次電池に比べて安価であるので、収納する鉛蓄電池の数を多くして、大容量の二次電池６を低コストに配設できる特長がある。さらに、土台１に配設される二次電池６は周囲に充填される土嚢に充填された土や砂によって熱障害を有効に防止できる特長もある。
【００４９】
以上の構造の照明装置は、以下のようにして設置される。
(1)  設置場所に分割ユニット１１を移動し、複数の分割ユニット１１を互いに連結して中空容器１０とする。
(2)  組み立てられた中空容器１０の内部に架台フレーム２０を配設する。このとき、架台フレーム２０の垂直柱２１は、中空容器１０の中心孔１０Ａに位置するように配置される。
(3)  架台フレーム２０の連結アーム２２を中空容器１０に連結して固定する。下部連結アーム２２Ｂは、連結部材２９を介して中空容器１０の底板１２に連結される。上部連結アーム２２Ａは、連結部材２９を介して中空容器１０の外周壁１３に連結される。
(4)  架台フレーム２０が固定された中空容器１０の内部の収納スペース１９に重り１８を充填する。重り１８には、たとえば、土や砂を充填した土嚢を使用する。土嚢である重り１８は、中空容器１０の収納スペース１９に均一に充填される。
二次電池６として鉛蓄電池を使用する場合は、大きくて重い二次電池６を重り１８に併用して収納スペース１９に配置する。
(5)  重り１８が充填された中空容器１０の上方開口を蓋体３０で閉塞する。蓋体３０は、下面が上部連結アーム２２Ａで支持されると共に、中心孔３０Ａから架台フレーム２０の連結プレート２３を表出する状態で配設される。蓋体３０は、固定ボルト３２を介して中空容器１０に固定される。この状態で図５に示す土台部分が完成する。
【００５０】
(6)  土台１の上面に照明塔２の支柱３を固定する。照明塔２の支柱３は、土台１の中央部に表出する架台フレーム２０の連結プレート２３に連結して固定される。連結プレート２３の上面から突出する連結ボルト２７を支柱３の基部３Ａの底板３Ｂに貫通させた後、連結ボルト２７にナット２８をねじ込んで支柱３の基部３Ａを連結プレート２３に固定する。
この状態で、土台１の中心部に支柱３が固定されて照明塔２は倒れないように土台１で支持される。
【００５１】
以上の構造の照明塔用の土台と照明塔装置は、土台１の蓋体３０の上面を平面状としているので、この蓋体３０の上面を座面として、土台１をベンチに併用できる特長もある。このように、ベンチに併用できる土台１は、人々が多く集まる場所、たとえば、公園や学校、遊歩道、イベント会場等に設置して便利に使用できる。ただ、土台は、必ずしも上面を平面状とする必要はなく、上面に凹凸や種々の模様を設けて意匠的要素を高めることもできる。
【図面の簡単な説明】
【００５２】
【図１】従来の照明塔装置の斜視図である。
【図２】本考案一実施例にかかる照明塔装置の側面図である。
【図３】図２に示す照明塔装置の土台部分の斜視図である。
【図４】図３に示す照明塔装置のＡ−Ａ線断面図である。
【図５】図２に示す照明塔装置の土台の斜視図である。
【図６】図５に示す土台の蓋体を取り除いた状態を示す平面図である。
【図７】中空容器を分割した状態を示す平面図である。
【図８】本考案の一実施例にかかる照明塔装置のブロック図である。
【図９】分割ユニットの斜視図である。
【図１０】蓋体を中空容器に連結する構造を示す拡大断面図である。
【符号の説明】
【００５３】
１…土台
２…照明塔
３…支柱                ３Ａ…基部              ３Ｂ…底板
４…発電機構            ４Ａ…太陽電池          ４Ｂ…風力発電機
５…照明器              ５Ａ…ＬＥＤ
６…二次電池            ６Ａ…素電池
７…保護回路
８…制御回路
９…光センサー
１０…中空容器          １０Ａ…中心孔
１１…分割ユニット
１２…底板
１３…外周壁            １３Ａ…挿通孔
１３ａ…凹部
１４…連結リブ          １４Ａ…連結孔
１５…水平リブ          １５Ａ…固定孔
１６…凸部
１８…重り
１９…収納スペース
２０…架台フレーム
２１…垂直柱
２２…連結アーム        ２２Ａ…上部連結アーム  ２２Ｂ…下部連結アーム
２３…連結プレート
２４…補強ロッド
２５…連結片
２６…支持プレート
２７…連結ボルト
２８…ナット
２９…連結部材          ２９Ａ…ボルト          ２９Ｂ…ナット
３０…蓋体              ３０Ａ…中心孔
３１…折曲部            ３１Ａ…挿通孔
３１ａ…凹部
３２…固定ボルト
３３…アンカー
４１…支柱
４２…基部
４３…基礎台
【図１】
0003103301.tif 000003
【図２】
0003103301.tif 000004
【図３】
0003103301.tif 000005
【図４】
0003103301.tif 000006
【図５】
0003103301.tif 000007
【図６】
0003103301.tif 000008
【図７】
0003103301.tif 000009
【図８】
0003103301.tif 000010
【図９】
0003103301.tif 000011
【図１０】
0003103301.tif 000012
【手続補正書】
【提出日】平成16年3月1日(2004.3.1)
【手続補正１】
【補正対象書類名】図面
【補正対象項目名】図２
【補正方法】変更
【補正の内容】
【図２】
0003103301.tif 000013